(57)【特許請求の範囲】
【請求項１】
内部横断面が円形の一部をカットした形状またはＵ字形状の内の何れか一つの形状をなして、横方向に曲がる曲面の内側に鏡面が形成される鏡面形状よりなる曲面鏡において、
該曲面鏡の映像観賞面より下方に位置する、該曲面鏡の下部鏡面と対面して、合わせ鏡を形成する対面鏡を設け、
且つ該対面鏡として、複数の平面鏡を接合して形成する多面鏡であるか、或いは横方向に曲がる曲面の内側を鏡面にする曲面鏡であるか、或いは平面鏡であるか、或いはマジックミラーである内の何れか一つを用いる立体映像を映す鏡体。
【請求項２】
内部横断面が円形の一部をカットした形状またはＵ字形状の内の何れか一つの形状をなして、横方向に曲がる曲面の内側に鏡面が形成される鏡面形状よりなる曲面鏡において、
該曲面鏡の円周内部に配置される装飾部材を含む展示物を隠す目隠し板を設ける立体映像を映す鏡体。
【発明の詳細な説明】
【技術分野】
【０００１】
本発明は華麗な色彩の立体感ある映像を映し出す立体映像を映す鏡体に関するものである。
【背景技術】
【０００２】
本発明で準備する曲面鏡は、内部横断面が円形の一部をカットした形状か、又はＵ字形状である内の何れか一つの形状をなして、横方向に曲がる曲面の内側に鏡面が形成される鏡面形状よりなる曲面鏡であり、以後は曲面鏡と記載する。
【０００３】
曲面鏡の特徴は、曲面鏡の焦点箇所に展示物を設置し、且つ、展示物を斜め上方４５度位の位置より見ると、曲面鏡には展示物の虚像が実物の上方に浮かび上がった状態で、虚像の鮮明な映像が立体的に映し出される。
そして、展示物との視点を上下に移動させると、呼応して、虚像が浮沈子のように、上下に浮き沈みして上下移動する映像が見られ、平面鏡や多面鏡では見られない不思議な現象が見られる。
【０００４】
本発明に関する従来技術として、科学館などに展示されているものであり、全身を映す縦長タイプの、鏡面が横方向の外側に少し湾曲する姿見用鏡と、鏡面が横方向の内側に少し湾曲する姿見用鏡の、二種類の鏡が配置され、夫々の鏡の前に立って、自分自身を映して見ると、二枚の鏡には、歪みのある横幅のある身体像と、歪みのある細長な身体像が映し出されるものが見受けられる。
この場合、鏡と正面から向き合って、鏡面前にいる自分自身を見ているために、映像は歪みのある立体感の無いものになっている。
【０００５】
次に、科学館などに展示されているもので、特許文献１と同構造の、浮き上がる虚像を見せる科学教材として、お椀のような凹面鏡を2枚重ね合わせた側面が楕円状の球体の上面に穴を開けて開口面とし、球体内部の底面に噴水が設置されている構造であり、開口面に噴水の像がくっきりと浮かび上がって見える噴水の虚像発生装置が見受けられる。
【０００６】
従来、上述の曲面鏡は、太陽熱集熱装置、熱線検知装置、脱臭装置等に応用されているが、曲面鏡の内部に展示物を設置して観賞する映像観賞に応用されているものは見受けられない。
なお、本発明は特許文献1ないし４と構造的に全く異なるものである。
【先行技術文献】
【特許文献】
【０００７】
【特許文献１】特開  Ｈ７−２１４７４号公報
【特許文献２】特開  ２００１−２９９８８１号公報
【特許文献３】特開  ２００６−３４３４３６号公報
【特許文献４】特開  ２０１３−１１９１７１号公報
【発明の概要】
【発明が解決しようとする課題】
【０００８】
華麗な色彩の立体感ある映像を映し出す立体映像を映す鏡体を提供する。
【課題を解決するための手段】
【０００９】
上記課題を解決する手段について述べる。
【００１０】
（１）
内部横断面が円形の一部をカットした形状またはＵ字形状の内の何れか一つの形状をなして、横方向に曲がる曲面の内側に鏡面が形成される鏡面形状よりなる曲面鏡において、
該曲面鏡の映像観賞面より下方に位置する、該曲面鏡の下部鏡面と対面して、合わせ鏡を形成する対面鏡を設け、
且つ該対面鏡として、複数の平面鏡を接合して形成する多面鏡であるか、或いは横方向に曲がる曲面の内側を鏡面にする曲面鏡であるか、或いは平面鏡であるか、或いはマジックミラーである内の何れか一つを用いる立体映像を映す鏡体とする。
【００１１】
（２）
内部横断面が円形の一部をカットした形状またはＵ字形状の内の何れか一つの形状をなして、横方向に曲がる曲面の内側に鏡面が形成される鏡面形状よりなる曲面鏡において、
該曲面鏡の円周内部に配置される装飾部材を含む展示物を隠す目隠し板を設ける立体映像を映す鏡体とする。
【００１２】
上述の目隠し板の形状は、曲面鏡の横断面が円形の一部をカットした形状の場合は、曲面状のものが望ましく、Ｕ字形状の場合は、平面状のものが望ましい。
目隠し板の高さ寸法は、人形などの展示物を横から見て人形が完全に隠れる高さ寸法が適当である。
【００１３】
（３）
内部横断面が円形の一部をカットした形状またはＵ字形状の内の何れか一つの形状をなして、横方向に曲がる曲面の内側に鏡面が形成される鏡面形状よりなる曲面鏡において、
少なくとも、該曲面鏡の円周内部に配置される装飾部材を含む展示物を回転させる回転器を設ける立体映像を映す鏡体とする。
【００１４】
上述の、本発明で準備する曲面鏡は、内部横断面が、円形の一部をカットした形状か、又はＵ字形状である内の何れかの形状をなして、横方向に曲がる曲面の内側に鏡面が形成される鏡面形状よりなる曲面鏡であり、円形のカット率はおよそ２０〜８０％の範囲内で可能であるが、好ましくは４０％位のカットが最適である。
【００１５】
曲面鏡の横断面外側の枠体の形状は曲面状、角形状など適宜なものであってかまわない。
曲面鏡の鏡面構造は、鏡面を枠体に固着する構造か、或いは、枠体に着脱可能な鏡面シートを装着し、必要に応じて取り替えられる構造であるか、或いは、直接枠体に鏡面加工するなど適宜な鏡面構造のものを用いる。
そして、曲面鏡の底面は開放されているため、円周内部に、装飾部材を含む展示物或いは回転器を設置するための、曲面鏡と一体構造の底部であるか、または曲面鏡に対応する構造の別体の底部を有することが望ましい。
【００１６】
曲面鏡の円周内部に設置する回転器は、回転速度調整可能なターンテーブル形回転器が適宜であり、回転速度は１分で２回転位が適当である
【００１７】
（４）
内部横断面が円形の一部をカットした形状またはＵ字形状の内の何れか一つの形状をなして、横方向に曲がる曲面の内側に鏡面が形成される鏡面形状よりなる曲面鏡において、
少なくとも、該曲面鏡の円周内部に配置される装飾部材を含む展示物を照射するライトを設ける立体映像を映す鏡体とする。
【００１８】
上述のライトにはマルチカラーライトも含まれる。
ライトには複数のカラーで照射可能なマルチカラーライトの使用が適しているが、単色のものでもかまわない。
設置場所は曲面鏡の上方に固定するか、或いは照射効果の良い方法で適宜に配置する。
【００１９】
（５）
内部横断面が円形の一部をカットした形状またはＵ字形状の内の何れか一つの形状をなして、横方向に曲がる曲面の内側に鏡面が形成される鏡面形状よりなる曲面鏡において、
該曲面鏡の円周内部に配置される装飾部材を含む展示物の全部または一部に、カラー反射機能を備えるか、或いは暗所発光機能を備える内の、少なくとも何れか一つを備える立体映像を映す鏡体とする。
【００２０】
上述のカラー反射機能を設けるには、ホログラムなど適宜なカラー反射部材を設置するか、或いは反射機能を残して着色したＣＤ、ＤＶＤ盤などを応用することもできる。
暗所発光機能を設けるには、夜光塗料を応用するもの、光るくらげのＤＮＡを組み込んだ蚕の糸を応用するものなど適宜な部材を用いることができる。
装飾部材には、着色したＣＤ、ＤＶＤ盤、ホログラム、反射性のある各種のクリスマス用装飾材等を応用することができ、反射性のあるアクセサリーとして応用可能なものであればどのようなものでもかまわない。
円周内部の中心部に配置する主となる展示物にも、装飾部材を用いることができる。
【００２１】
（６）
内部横断面が円形の一部をカットした形状またはＵ字形状の内の何れか一つの形状をなして、横方向に曲がる曲面の内側に鏡面が形成される鏡面形状よりなる曲面鏡において、
該曲面鏡の円周内部の底面に、
写真を含む画像を装着可能にした二面表示体であるか、或いは、両面に互いに異なる写真を含む画像を装着する二面表示体であるの内の、何れか一つを設ける立体映像を映す鏡体とする。
【００２２】
画像には写真、絵画が含まれ、男性と女性、親と子供、冬山と夏山などの異なる画像を裏面どうし合わせた二面表示体にする。
【００２３】
（７）
内部横断面が円形の一部をカットした形状またはＵ字形状の内の何れか一つの形状をなして、横方向に曲がる曲面の内側に鏡面が形成される鏡面形状よりなる曲面鏡において、
該曲面鏡の円周内部の底面に、
二面造形体の手前側面と反対側面の両面において、互いに異なる表現がされている二面造形体を設け、
且つ、該二面造形体として、該二面造形体の手前側面と反対側面の両面の夫々で互いに異なる造形がなされているか、或いは、前記二面造形体の手前側面と反対側面の両面の夫々で互いに異なる画像が描かれているか、或いは、前記二面造形体の手前側面と反対側面の両面で造形と画像が表現されている内の、何れか一つを用いる立体映像を映す鏡体とする。
【００２４】
二面造形体の外郭形状は球状、楕円状、角状など適宜なものでかまわない。
二面造形体には、人物像や山岳風景など適宜なものを造形する。
【００２５】
以上が課題を解決する手段に関する。
【発明の効果】
【００２６】
本発明は以下のような効果が期待される。
【００２７】
本発明に用いる曲面鏡の特徴は、展示物を曲面鏡の焦点箇所に位置するように配置して映すと、曲面鏡の作用により、実物の展示物の上方に浮かぶ虚像の立体感ある映像が映し出される。
また、見る目の視点の上下移動に関係して、虚像が上下に浮き沈みする物理現象が見られる。
本発明では、曲面鏡の焦点箇所に展示物を配置することにより、平面鏡の映像とは全く異なり、近づくと虚像が飛び出してきそうな超立体感のある鮮明な映像を表現することが可能となる。
【００２８】
請求項１の発明のようにすると、曲面鏡下部は万華鏡のような合わせ鏡構造となり、対面する鏡面同士が反射し合う鏡面作用が起こり、万華鏡作用で反射した反射光が曲面鏡上部に反射して、複雑な立体映像を曲面鏡の上部鏡面に映し出すことができる。
なお、請求項１の立体映像を映す鏡体に、回転器を備えると、曲面鏡の背景映像として、複雑な打ち上げ花火のような立体映像を映し出す。
請求項１の立体映像を映す鏡体に、マルチライトを備えると、色彩変化のある華麗な立体映像が映し出される。
【００２９】
請求項２の発明のようにすると、曲面鏡の円周内部に配置される人形などの展示物を隠す目隠し板を設置すると、少し距離が離れていると曲面鏡に映らなかった人形が、近づくと虚像が浮かび上がって来て見えるようになり、また離れると沈んで隠れてしまう面白さがあり、子供たちに興味が持たれそうな立体映像を表現することができる。
【００３０】
以上が発明の効果に関する。
【図面の簡単な説明】
【００３１】
【図１】本発明の請求項１記載に基づき形成される（曲面鏡に多面鏡型の対面鏡を配置する）立体映像を映す鏡体に、アクセサリーを含む展示物と回転器とライトを配置する側面斜視図である。
【００３２】
【図２】曲面鏡に、回転器と展示物とライトを配置する鏡体の参考図である。
【００３３】
【図３】曲面鏡に、展示物を配置する鏡体の参考図である。
【００３４】
【図４】本発明の請求項１記載に基づき形成される（曲面鏡に曲面鏡型の対面鏡を配置する）立体映像を映す鏡体の側面斜視図である。
【００３５】
【図５】本発明の請求項１記載に基づき形成される（Ｕ字状曲面鏡に平面鏡型の対面鏡を配置する）立体映像を映す鏡体に、アクセサリーを含む展示物とライトを配置する側面斜視図である。
【００３６】
【図６】本発明の請求項１記載の対面鏡に用いる多面鏡の正面斜視図である。
【００３７】
【図７】本発明の請求項２記載に基づき形成される（曲面鏡に目隠し板を配置する）立体映像を映す鏡体の側面斜視図である。
【００３８】
【図８】曲面鏡に配置する二面表示体の説明図である。
【００３９】
【図９】曲面鏡に配置する表裏両面で異なる造形にした二面造形体の説明図である。
【００４０】
【図１０】曲面鏡に二面表示体を配置する参考図である。
【発明を実施するための形態】
【００４１】
以下、本発明の実施の形態について図面を参照して説明する。
実施例１は、本発明で準備する曲面鏡は、内部横断面が円形の一部がカットされた形状であるか、或いはＵ字形状である内の何れかの曲面鏡である。
図１の曲面鏡の円形のカット率は５０％位になっているが、焦点部分に配置した展示物の鮮明な立体映像が映る最適な円形のカット率は４０％位である。
なお、曲面鏡の焦点箇所に置いた展示物の映像を映すには、円形の２０〜８０パーセントの範囲内でカットされた曲面鏡であれば可能である。
図５の内部横断面がＵ字形状の曲面鏡は、図１の半円形状の曲面鏡と比べると、奥行きが深いために、より立体感のある映像となる。
【００４２】
曲面鏡の外側の枠体形状は適宜な形状でかまわない。
曲面鏡の鏡面構造は、鏡面を枠体に固着する構造か、或いは、枠体に着脱可能な鏡面シートを装着し、必要に応じて取り替えられる構造であるか、或いは、直接枠体に鏡面加工するなど適宜な鏡面構造のものを用いる。
なお、曲面鏡の底面は開放されているため、円周内部に展示物或いは回転器を設置するための、曲面鏡と一体構造の底部、または曲面鏡に対応する構造の別体の底部を曲面鏡に備えることが望ましい。
なお、本発明を観賞するには展示物の斜め上方を視点とする必要があり、斜め４５度位が最適である。
【００４３】
実施例２は、図１の、曲面鏡１と多面鏡形の対面鏡６により形成される請求項１記載に基づく立体映像を映す鏡体に、回転器１１、ライト２、反射機能を備える装飾部材８を含む展示物７を別個配置する立体映像を映す鏡体の実施形態である。
自動変色するマルチカラーライト２を点灯して、回転器１１の回転盤上に配置される反射性の装飾部材８を含む展示物７を回転させと、曲面鏡下部の鏡面と多角形の対面鏡６による合わせ鏡の反射作用により、曲面鏡上部の映像観賞面３には、鏡面４に映る映像の上方部分では、打ち上げ花火のようにきらきら光り、虚像がメリーゴーランドのように回転して多様な色彩に変化する独特の立体映像を映し出す。
回る華麗な色彩の虚像と、合わせ鏡の作用による映像上部の打ち上げ花火のような華麗な映像を観賞することができる。
【００４４】
実施例３は、図２の、曲面鏡１および回転器１１、ライト２、反射機能を備える装飾部材８を含む展示物７により構成される立体映像を映す鏡体の実施形態である。
上述の図１と同様に、自動変色するマルチカラーライト２を点灯して、回転器１１の回転盤上に配置される反射性の装飾部材８を含む展示物７を回転させと、曲面鏡には虚像がメリーゴーランドのように回転して多様な色彩に変化する独特の立体映像を映し出す。
回る華麗な色彩の虚像と、ライトで華麗に映る展示物を観賞することができる。
【００４５】
実施例４は、図３の、曲面鏡１および暗所発光機能を備える装飾部材を含む展示物１４により構成される鏡体の実施形態である。
曲面鏡には、明るいところでは鏡面に虚像の立体感ある映像が映し出されているが、暗くなると展示物が発光して幻想的な立体映像を演出する。
【００４６】
実施例５は、図４は、請求項１記載に基づき、曲面鏡１および曲面鏡形の対面鏡６により構成される立体映像を映す鏡体の実施形態である。
曲面鏡の円周内部の底面９に、装飾部材８を含む展示物７を配置すると、鏡面に映る映像の上方部分では、多面鏡形の対面鏡と比べて大柄な映像が映し出される。
【００４７】
実施例６は、図５の、Ｕ字形曲面鏡１７と平面形対面鏡１８により形成される本発明請求項１記載に基づく、立体映像を映す鏡体に、ライト２、反射機能を備える装飾部材８を含む展示物７を別個配置する立体映像を映す鏡体の実施形態である。
ライト２を点灯すると、いっそう華麗な色彩になり、曲面鏡下部の鏡面と平面鏡形の対面鏡６による合わせ鏡の反射作用により、曲面鏡上部の映像観賞面３には、独特の複雑な立体映像が映し出される。
華麗な色彩の虚像と、合わせ鏡の作用による映像上部の複雑で華麗な立体映像を観賞することができる。
【００４８】
次の実施例７は、図７の、請求項２記載に基づき、曲面鏡１と目隠し板１９で構成され、目隠し板は曲面鏡の円周内部の底面９に配置される装飾部材を含む展示物を遮断して隠すものである。
例えば、人形を設置して、離れた位置から鏡面を見ると何も見えないが、近づいて見ると、隠れていた人形の虚像が浮き上がって来て立体的に見え、離れるとまた隠れて見えなくなる。
【００４９】
実施例８は、図８は二面表示体２０であり、図１０は曲面鏡１に二面表示体２０を配置するものであり、図１０のように、曲面鏡に、Ａ面を手前にして二面表示体を設置すると、曲面鏡には、Ａ面の上に、反対側のＢ面の虚像が浮かんで映る立体的な映像が映し出される。
二面表示体には画像を装着するが、異なる画像どうしを二面表示体の両面に装着してもかまわない。
画像には写真、絵画が含まれ、男性と女性、親と子供などの異なる画像を裏面どうし合わせた二面表示体にすることができる。
【００５０】
実施例９は、図９の、曲面鏡に付設する二面造形体２１であり、手前側面と反対側面で互いに異なる表現を施す二面造形体である。
二面造形体の外郭形状は球状、楕円状、角状など適宜なものでかまわない。
二面造形体には、人物像や山岳風景など適宜なものを造形するか、或いは画像を描くことができる。
曲面鏡に二面造形体を設置すると、上記二面表示体と同様の立体的な映像が映し出される。
【００５１】
その他の実施例として、曲面鏡の円周内部に配置される展示物を上下に移動させて演出する昇降手段を設けることもできる。
【００５２】
人は感動すると脳血流がよくなり脳が活性化すると言われている。
認知症は、日常生活において、感動することが無くなって来ると発症し易くなると言われていて、このため、特に高齢者には、本発明鏡体を日常生活に取り入れて観賞すると、手軽に感動することが可能となり、認知症予防の効果が期待される。
【００５３】
以上が発明を実施するための形態に関する。
【符号の説明】
【００５４】
１    曲面鏡
２    ライト
３    映像観賞面
４    鏡面
５    多面鏡（対面用）
６    対面鏡
７    展示物
８    アクセサリー
９    底部
１０  反射板
１１  回転器
１２  枠体
１３  暗所発光板
１４  展示物（暗所発光形）
１５  アクセサリー（暗所発光形）
１６  曲面鏡（対面用）
１７  曲面鏡（Ｕ字形）
１８  平面鏡（対面用）
１９  目隠し板
２０  二面表示体
２１  二面造形体
２２  二面表示体Ｂ面虚像
【要約】      （修正有）【課題】華麗な色彩の立体感ある映像を映し出す立体映像を映す鏡体と其の使用方法を提供する。【解決手段】内部横断面が円形の一部をカットした形状又はＵ字形状の何れか一つの形状をなし横方向に曲がる曲面の内側に鏡面が形成される曲面鏡１において、曲面鏡の円周内部に配置される装飾部材を含む展示物を回転させる回転器１１を設ける、或いは曲面鏡の円周内部に配置される装飾部材を含む展示物を照射するライト２を設ける、或いは曲面鏡の映像観賞面より下に位置する曲面鏡の下部鏡面と対面し合わせ鏡を形成する対面鏡６を設ける、或いは曲面鏡の円周内部に配置される装飾部材を含む展示物の全部又は一部にカラー反射機能又は暗所発光機能の少なくとも何れか一つを設ける、或いは曲面鏡の円周内部に配置される装飾部材を含む展示物を隠す目隠し板を設ける、或いは曲面鏡の円周内部に両面で異なる表現がなされる二面表示体又は二面造形体を設ける鏡体とする。【選択図】図１【図１】
0005643450.tif 000002
【図２】
0005643450.tif 000003
【図３】
0005643450.tif 000004
【図４】
0005643450.tif 000005
【図５】
0005643450.tif 000006
【図６】
0005643450.tif 000007
【図７】
0005643450.tif 000008
【図８】
0005643450.tif 000009
【図９】
0005643450.tif 000010
【図１０】
0005643450.tif 000011